(57)【要約】【課題】プリンタの持ち運び、輸送、保管等における取り扱い性を、より一層向上させること。【解決手段】プリンタ１００はセンタハウジング３５及びサイドハウジング３６、３７によって装置外観をなす筐体が構成される。サイドハウジング３６、３７には手提げ用ハンドル５０が回動自在に取り付けられ、また、上下方向に伸縮自在に設けられたことにより、収納及び輸送時等の取り扱い性の向上が図られている。手提げ用ハンドル５０の把持部をなすグリップ部５３は用紙Ｐの支持面５３ａを有し、且つ、回動自在に取り付けられている。用紙Ｐはプリンタ１００後方側に設けられた給紙装置によって傾斜姿勢にセットされるが、このとき、手提げ用ハンドル５０がペーパーサポートの機能を発揮し、用紙Ｐが適切な姿勢に支持される。【選択図】　　　　図１
2004082455.tif 000002
【特許請求の範囲】
【請求項１】
被記録材に記録を行う記録装置であって、手提げ用のハンドルを備えていることを特徴とする記録装置。
【請求項２】
請求項１において、前記ハンドルが、セットされた被記録材を支持するペーパーサポートを兼ねていることを特徴とする記録装置。
【請求項３】
請求項２において、前記ハンドルが、前記記録装置を側視して回動可能に設けられると共に、セットされた被記録材を支持する状態で前記ハンドルを保持するハンドル保持手段を備えている、
ことを特徴とする記録装置。
【請求項４】
請求項２または３において、前記ハンドルにおける把持部に、セットされた被記録材を支持する支持面が形成されている、
ことを特徴とする記録装置。
【請求項５】
請求項４において、前記把持部が回転自在に構成されると共に、前記支持面が被記録材を支持する状態で前記把持部を保持する把持部保持手段を備えている、
ことを特徴とする記録装置。
【請求項６】
請求項１から５のいずれか１項において、前記ハンドルにおいて前記記録装置の本体から延びるバー部が伸縮自在に構成されていることを特徴とする記録装置。
【請求項７】
請求項１から６のいずれか１項において、前記記録装置の外観を構成する筐体が、前記記録装置の本体を載設する下部ハウジングと、
該下部ハウジングの上部に設けられる上部ハウジングと、
前記下部ハウジング及び前記上部ハウジングの両側に設けられる、キャップ形状をなすサイドハウジングと、を備え、
前記下部ハウジング及び前記上部ハウジングにより筒状体が形成されると共に前記サイドハウジングが前記筒状体の両側部を覆う様にして取り付けられ、
前記ハンドルが、前記サイドハウジングに取り付けられていることを特徴とする記録装置。
【請求項８】
請求項１から７のいずれか１項において、前記ハンドルが、ロール状に巻かれたロール紙ロールを回動可能に保持するロール紙ホルダを兼ねていることを特徴とする記録装置。
【発明の詳細な説明】
【０００１】
【発明の属する技術分野】
本発明は、ＦＡＸ、プリンタ等に代表される、被記録材に記録を行う記録装置に関する。
【０００２】
【従来の技術】
記録装置にはＦＡＸ、プリンタ等種々のものがあり、その一つとして、インクジェットプリンタ（以下「プリンタ」と言う）がある。一般的なプリンタは、装置後方に給紙装置（ＡＳＦ：オートシートフィーダ）を備え、この給紙装置に複数枚の印刷用紙を傾斜姿勢でセットする。給紙装置は最上位の印刷用紙を１枚ずつプリンタ前方側に向けて繰り出し、インクジェット記録ヘッドによって印刷の行われた印刷用紙は、プリンタ前方側に設けられた排紙スタッカに向けて排紙される。
【０００３】
ここで、プリンタの外観は、樹脂材料によって形成された筐体によってその外観が構成されている。この筐体には、プリンタ後方側に傾斜姿勢でセットされる印刷用紙を支持する為のペーパーサポートが着脱自在に取り付けられていて、使用時には取り付けられ、輸送時等には取り外される様になっている。また、筐体の下部にはプリンタを持ち上げる際の便宜を考慮して凹部が形成されていて、該凹部に手を掛け、プリンタ本体を抱きかかえる様にしてプリンタを持ち運ぶ様になっている。
【０００４】
【発明が解決しようとする課題】
しかし、上述した従来のプリンタにおいては、上述の様にプリンタ本体の持ち運びが容易で無いことから、場合によってはプリンタを落下等させて破損させる虞があった。また、ペーパーサポートは着脱自在に設けられる為、輸送、保管等は別個に行う必要があり、ユーザにとって必ずしも取り扱いが容易なものとは言えなかった。
【０００５】
そこで本発明はこの様な状況に鑑みなされたものであり、その課題は、プリンタの持ち運び、輸送、保管等における取り扱い性を、より一層向上させることにある。
【０００６】
【課題を解決するための手段】
上記課題を解決するために、本願請求項１記載の記録装置は、被記録材に記録を行う記録装置であって、手提げ用のハンドルを備えていることを特徴とする。
【０００７】
本願請求項１記載の発明によれば、被記録材に記録を行う記録装置は、手提げ用のハンドルを備えているので、記録装置の持ち運びが極めて容易となり、記録装置を落下等させて破損させるといった問題を解消することが可能となる。即ち、記録装置の持ち運び、輸送、保管等における取り扱い性が、より一層向上することになる。
【０００８】
本願請求項２記載の記録装置は、請求項１において、前記ハンドルが、セットされた被記録材を支持するペーパーサポートを兼ねていることを特徴とする。　本願請求項２記載の発明によれば、手提げ用のハンドルが、セットされた被記録材を支持するペーパーサポートを兼ねているので、ペーパーサポートを記録装置の外観を構成する筐体に着脱自在に設ける様な場合に比して保管、輸送時等の取り扱い性が向上すると共に、手提げ用のハンドル及びペーパーサポートのそれぞれを別個に設ける様な場合に比して記録装置の低コスト化を図ることができる。
【０００９】
本願請求項３記載の記録装置は、請求項２において、前記ハンドルが、前記記録装置を側視して回動可能に設けられると共に、セットされた被記録材を支持する状態で前記ハンドルを保持するハンドル保持手段を備えていることを特徴とする。
本願請求項３記載の発明によれば、前記ハンドルが、前記記録装置を側視して回動可能に設けられているので、前記記録装置の設置の際には前記ハンドルが使用の際の邪魔にならない様に退避させることができると共に、前記ハンドルはセットされた被記録材を支持する状態でハンドル保持手段によって保持されることから、適切に被記録材を支持することが可能となる。
【００１０】
本願請求項４記載の記録装置は、請求項２または３において、前記ハンドルにおける把持部にセットされた被記録材を支持する支持面が形成されていることを特徴とする。
本願請求項４記載の発明によれば、前記ハンドルにおける把持部に、セットされた被記録材を支持する支持面が形成されているので、該支持面により、適切に被記録材を支持することが可能となる。
【００１１】
本願請求項５記載の記録装置は、請求項４において、前記把持部が回転自在に構成されると共に、前記支持面が被記録材を支持する状態で前記把持部を保持する把持部保持手段を備えていることを特徴とする。
本願請求項５記載の発明によれば、前記把持部が回転自在に構成されていることから、前記把持部を把持して持ち運ぶ際の把持性が向上すると共に、該把持部は、把持部保持手段によって前記支持面が被記録材を支持する状態で保持されるので、適切に被記録材を支持することが可能となる。
【００１２】
本願請求項６記載の記録装置は、請求項１から５のいずれか１項において、前記ハンドルにおいて前記記録装置の本体から延びるバー部が伸縮自在に構成されていることを特徴とする。
本願請求項６記載の発明によれば、前記ハンドルにおいて前記記録装置の本体から延びるバー部が伸縮自在に構成されているので、前記記録装置の保管、輸送時等には省スペース化を図ることができ、より一層取り扱い性が向上する。
【００１３】
本願請求項７記載の記録装置は、請求項１から６のいずれか１項において、前記記録装置の外観を構成する筐体が、前記記録装置の本体を載設する下部ハウジングと、該下部ハウジングの上部に設けられる上部ハウジングと、前記下部ハウジング及び前記上部ハウジングの両側に設けられる、キャップ形状をなすサイドハウジングと、を備え、前記下部ハウジング及び前記上部ハウジングにより筒状体が形成されると共に前記サイドハウジングが前記筒状体の両側部を覆う様にして取り付けられ、前記ハンドルが、前記サイドハウジングに取り付けられていることを特徴とする。
【００１４】
本願請求項７記載の発明によれば、手提げ用のハンドルを、記録装置の外観を構成する筐体に取り付けた場合でも、該筐体の強度を低下させることがない。即ち、記録装置の外観を構成する筐体は、下部ハウジングと、該下部ハウジングの上部に設けられる上部ハウジングとによって筒状体が形成され、キャップ形状をなすサイドハウジングが、前記筒状体の両側部を覆う様にして取り付けられることによってなされているので、前記筒状体はその両側部が前記サイドハウジングによってキャップされる様に覆われたことにより、前記下部ハウジングと前記上部ハウジングとの結合状態が強固に保持され、外部から衝撃を受けた際や落下等に際しても前記下部ハウジングと前記上部ハウジングとが分離しない様になっている。そして、手提げ用のハンドルが、前記サイドハウジングに取り付けられていることから、手提げ用のハンドルを把持して記録装置を持ち上げた場合でも、前記上部ハウジングと前記下部ハウジングとが分離する様なことがなく、筐体の強度を低下させることがない。
【００１５】
本願請求項８記載の記録装置は、請求項１から７のいずれか１項において、前記ハンドルが、ロール状に巻かれたロール紙ロールを回動可能に保持するロール紙ホルダを兼ねていることを特徴とする。
本願請求項８記載の発明によれば、前記ハンドルが、ロール状に巻かれたロール紙ロールを回動可能に保持するロール紙ホルダを兼ねているので、コストアップを招くことなくロール紙ホルダを設けることが可能となり、そしてロール紙に記録を実行することができる。
【００１６】
【発明の実施の形態】
以下、本発明の実施の形態について図１乃至図６を参照しながら説明する。ここで、図１は本発明に係る「記録装置」としてのインクジェットプリンタ（以下「プリンタ」と言う）１００の外観斜視図、図２はプリンタ１００の側断面概略図、図３はプリンタ１００の外観斜視図であって、（Ａ）は手提げ用ハンドル（以下「ハンドル」と言う）５０の縮小状態を、（Ｂ）は同伸長状態を示している。また、図４は給紙装置１の側断面図、図５はハンドル５０の他の実施形態を示す給紙装置１の側断面図、図６はプリンタ１００の他の実施形態であるプリンタ１０００の分解斜視図であり、図７は同外観斜視図である。
【００１７】
先ず、図１を参照しつつ、プリンタ１００の外観構成について説明する。図１に示す様に、プリンタ１００は装置外観がセンタハウジング３５、サイドハウジング３６及び３７から構成される筐体によって構成されている。
【００１８】
センタハウジング３５の略中央部には開閉自在なカバー３８が設けられていて、該カバー３８を開放することにより、インクカートリッジ作業等が行える様になっている。センタハウジング３５の前方側には、下部の回動軸（図示せず）を回動支点としてプリンタ１００前方側に倒れる様に回動可能な排紙スタッカ３９が設けられていて、該排紙スタッカ３９を開放することにより、用紙排紙口（図示せず）が露呈すると共に、印刷の行われた印刷用紙がスタック可能な状態となる。
【００１９】
そして、サイドハウジング３６、３７にはハンドル５０が取り付けられていて、該ハンドル５０により、プリンタ１００を手提げで持ち運びすることができる様になっている。このハンドル５０のより詳細な構成については、後に説明する。
【００２０】
続いて、プリンタ１００の内部構成（用紙搬送経路）について図２を参照しながら説明する。尚、以下では、図２の右側（プリンタ１００の後方側）を「上流側」（用紙搬送経路の上流側）と言い、図２の左側（プリンタ１００の前方側）を「下流側」（用紙搬送経路の下流側）と言うこととする。
【００２１】
プリンタ１００は、上流側に給紙装置１を備え、該給紙装置１から用紙Ｐ（単票紙）を下流側へと１枚ずつ給送する。ここで、図２に示す様に給紙装置１は、給紙ローラ３と、ホッパ５と、分離パッド７とを備えている。図示しない駆動モータによって回動駆動される給紙ローラ３は側面視略Ｄ形の形状をなし、ローラ本体３ａと、該ローラ本体３ａの外周部に巻回されるゴム材３ｂとから構成されている。給紙ローラ３は、その円弧部分によって用紙Ｐを給送する一方、平坦部分によって用紙Ｐを通過させて、下流側の搬送ローラ１７による搬送動作時に搬送負荷を与えない様になっている。
【００２２】
ホッパ５は板状体からなり、図示する様に傾斜姿勢に設けられ、且つ、上部に設けられた回動軸５ａを中心に図２の時計方向及び反時計方向に揺動可能に設けられている。また、ホッパ５の背面側にはホッパばね８が設けられ、ホッパ５の下端部を給紙ローラ３に向けて付勢している。そしてこの様に構成されたホッパ５は、図示しないカム機構によって揺動駆動されることにより、下端部が給紙ローラ３に対して圧接及び離間動作する様になっている。従って、ホッパ５が給紙ローラ３に対して圧接方向に揺動すると、ホッパ５上に堆積された用紙Ｐの束は給紙ローラ３に圧接し、そして当該圧接状態で給紙ローラ３が回動することにより、堆積された用紙Ｐの最上位のものが下流側へと給送される。
【００２３】
分離パッド７は、高摩擦部材からなり、給紙ローラ３と対向する位置に設けられている。給紙ローラ３が回動すると、給紙ローラ３の円弧部分と分離パッド７とが圧接し、圧接部が形成される。給紙ローラ３の円弧部分によって繰り出された最上位の用紙Ｐは、前記圧接部を通過して下流側へと進むが、最上位の用紙Ｐにつられて下流側へと進もうとする次位以降の用紙Ｐは、前記圧接部により、下流側への進行が阻止され、これによって用紙Ｐの重送が防止される。
【００２４】
次に、給紙装置１の下流には板状体からなる紙案内１５が略水平に設けられ、給紙ローラ３によって繰り出された用紙Ｐの先端が該紙案内１５に斜めに当接し、滑らかに下流側に案内される。紙案内１５から下流には回動駆動される搬送駆動ローラ１７ａと、該搬送駆動ローラ１７ａに圧接する搬送従動ローラ１７ｂとからなる搬送ローラ１７が設けられ、用紙Ｐは、当該搬送駆動ローラ１７ａと搬送従動ローラ１７ｂとにニップされて、一定ピッチで下流側に搬送される。ここで、搬送従動ローラ１７ｂは搬送従動ローラホルダ２１の下流側に軸支されていて、当該搬送従動ローラホルダ２１は、回動軸２１ａを中心に図２の時計方向及び反時計方向に回動可能に設けられ、且つ、図示しないねじりコイルばねによって搬送従動ローラ１７ｂが常に搬送駆動ローラ１７ａに圧接する方向（図２の反時計方向）に回動付勢されている。尚、搬送駆動ローラ１７ａは、主走査方向（図２の紙面表裏方向）に長い軸体からなり、搬送従動ローラ１７ｂと搬送従動ローラホルダ２１とは、共に搬送駆動ローラ１７ａの軸方向に複数配設されている（図示は省略）。
【００２５】
次に、最も０桁側（図２の紙面表側）に位置する搬送従動ローラホルダ２１近傍には、センサ本体部１９ｂと検出レバー１９ａとから構成され、用紙Ｐの通過を検出する紙検出器１９が配設されている。検出レバー１９ａは側面視略「く」の字の形状をなし、その中央付近の回動軸１９ｃを中心に図１の時計方向及び反時計方向に回動可能に設けられている。検出レバー１９ａの上方に位置するセンサ本体部１９ｂは発光部（図示せず）及び該発光部からの光を受ける受光部（図示せず）を備え、検出レバー１９ａの回動軸１９ｃから上側が、その回動動作により、前記発光部から前記受光部に向かう光の遮断及び通過を行う様になっている。
【００２６】
続いて、搬送駆動ローラ１７ａの下流には、プラテン２７及びインクジェット記録ヘッド（以下「記録ヘッド」と言う）２５が上下に対向する様に配設され、搬送ローラ１７によってインクジェット記録ヘッド２５の下へ搬送される用紙Ｐは、プラテン２７によって下から支持される。インクジェット記録ヘッド２５はインクカートリッジ３１を搭載するキャリッジ２３の底部に設けられ、該キャリッジ２３は、主走査方向（図２の紙面表裏方向）に延びるキャリッジガイド軸３３によって主走査方向にガイドされながら、図示しない駆動モータの動力を受けて主走査方向に往復動する。
【００２７】
次に、インクジェット記録ヘッド２５から下流は排紙部となっていて、回動駆動される排紙駆動ローラ２９ａと、自由回動可能な排紙従動ローラ２９ｂとからなる排紙ローラ２９が設けられている。従ってインクジェット記録ヘッド２５によって印刷の行われた用紙Ｐは、排紙駆動ローラ２９ａと排紙従動ローラ２９ｂとによってニップされた状態で排紙駆動ローラ２９ａが回動することにより、矢印方向に排出される。
【００２８】
以上がプリンタ１００の内部構成であり、以下、図１及び図３乃至図６を参照しつつ、ハンドル５０の構成について詳説する。先ず、図１及び３に示す様に、ハンドル５０はサイドハウジング３６から延びる右バー下５２ａ、右バー上５１ａと、サイドハウジング３７から延びる左バー部下５２ｂ、左バー部上５１ｂと、「把持部」としてのグリップ部５３とから構成されている。尚、ハンドル５０は図から明らかに左右対称の構成を成しているので、以下では、説明の便宜の為右側（右バー下５２ａ、右バー上５１ａ）を主として説明する。
【００２９】
サイドハウジング３６の略中央部には、バー嵌入部３６ａが形成されていて、該バー嵌入部３６ａに、右バー下５２ａが嵌入可能となっている。右バー下５２ａは、バー嵌入部３６ａに嵌入し、且つ、鉛直上方に延びる様なＬ字形の形状をなしていて、その上端に、内径が右バー下５２ａの外径よりも大きく、右バー下５２ａを緩挿可能な右バー上５１ａが、右バー下５２ａに対してスライド可能に設けられている。
【００３０】
右バー上５１ａは、図示する様にＬ字形の形状をなし、その一端が、プリンタ１００の幅方向に延びるグリップ部５３に緩挿される様になっている。
グリップ部５３は、図示する様にプリンタ１００の幅方向に長く、且つその断面形状が図４に示す様に両端が丸められた略長方形の形状をなしていて、右バー上５１ａ及び左バー上５１ｂが両端側から挿入されることにより、ハンドル５０の把持部を形成する様になっている。
【００３１】
従って、以上の様に構成されたハンドル５０は、図３（Ａ）に示す様に収縮状態となり、保管或いは輸送の際に省スペース化を図ることができると共に、図３（Ｂ）に示す様に伸長状態となり、グリップ部５３を把持することによってプリンタ１００を手提げにより運搬することができる様になっている。尚、右バー下５２ａ及び左バー下５２ｂの上端部分にはボールプランジャ（図示せず）が埋設されていて、右バー上５１ａ及び左バー上５１ｂが上方にスライドした状態で、前記ボールプランジャが右バー上５１ａ及び左バー上５１ｂの内周面を押圧することにより、ハンドル５０（右バー上５１ａ及び左バー上５１ｂ）を伸長状態に保持することができる様になっている。
【００３２】
次に、右バー下５２ａと左バー下５２ｂとは、サイドハウジング３６及び３７に対して回動可能に設けられていて、回動することにより、使用時に邪魔にならない様な状態にすることができる様になっている。また、ハンドル５０は、プリンタ１００後方側に回動し、図１に示す様にプリンタ１００後方側に傾斜した姿勢となった状態で、図示しない「ハンドル保持手段」としての度当たり部によってそれ以降の回動が止められる（傾斜姿勢で保持される）様になっていて、この状態において、図１に示す様に給紙装置１（図２参照）に傾斜姿勢でセットされる用紙Ｐを支持するペーパーサポートとしての機能を適切に発揮させることができる様になっている。
【００３３】
即ち、図４に示す様に、グリップ部５３には平坦な支持面５３ａが形成されていると共に、グリップ部５３には図１に示す様に右バー上５１ａ及び左バー上５１ｂが緩挿されることにより、回転（図４に示す時計方向及び反時計方向）可能となっている。従って、給紙装置１に用紙Ｐがセットされる際には、図４に示す様に支持面５３ａが傾斜面（ホッパ５がなす斜面に略平行な面）となり、適切に用紙Ｐを下方から支持することができる様になっている。
【００３４】
以上により、ハンドル５０が、セットされた用紙Ｐを支持するペーパーサポートを兼ねているので、例えばペーパーサポートをプリンタ１００の外観を構成するセンタハウジング３５に着脱自在に設ける様な場合に比して保管、輸送時等の取り扱い性が向上すると共に、プリンタ１００の低コスト化を図ることができる様になっている。
【００３５】
尚、グリップ部５３はその長手方向に僅かにスライド可能に設けられていて、左バー上５１ｂの側に僅かにスライドすることにより、左バー上５１ｂの端部及びグリップ部５３の端部に形成された嵌合形状（図示せず）が嵌合状態を形成し、これにより、その回転動作が図４に示す状態（支持面５３ａが傾斜面をなした状態）で止まる様に構成されている。従ってグリップ部５３は、この様な「把持部保持手段」により、適切に用紙Ｐを傾斜姿勢に支持することが可能となっている。
【００３６】
また、グリップ部５３が回転可能であることから、グリップ部５３を把持してプリンタ１００を持ち運ぶ際には、グリップ部５３を把持し易い状態（例えば、図３（Ｂ）に示す状態：支持面５３ａが略水平面をなした状態）とすることができ、取り扱い性が良い。
【００３７】
ところで、グリップ部５３を図５に示す様に側面視において円形状をなすグリップ部５３０とすることで、該グリップ部５３０を、ロール状に巻かれたロール紙ロールＲを回動自在に軸支するロール紙ホルダとして利用することも可能である。この様に構成することにより、別個にロール紙ホルダを設ける必要がなく、プリンタ１００を低コストに構成しながらロール紙ＰＲに印刷を行うことが可能となる。
【００３８】
また、プリンタ１００を構成する筐体を、図６及び図７に示す様に構成すれば、前記筐体の強度をより一層高めることが可能となる。ここで、図６は、プリンタ１００の他の実施形態であるプリンタ１０００の外観を構成する筐体をモデル化（一般化）して描いた分解斜視図であり、図７は同組み立て図である。図示する様に、下部ハウジング４００及び上部ハウジング３５０により筒体（図１のセンタハウジング３５に相当する）が形成され、サイドハウジング３６０（図１のサイドハウジング３６に相当する）は、前記筒体の右側端部（下部ハウジング４００の右側端部４００ａと上部ハウジング３５０の右側端部３５０ａ）を覆う（キャップする）様にして取り付けられ、プリンタ１０００の右側の外観を構成する。また、サイドハウジング３７０（図１のサイドハウジング３７に相当する）についても同様に、前記筒体の左側端部（下部ハウジング４００の左側端部４００ｂと上部ハウジング３５０の左側端部３５０ｂ）を覆う（キャップする）様にして取り付けられ、プリンタ１０００の左側の外観を構成する。尚、図６において符号４１０は下部ハウジング４００上に載設される、プリンタ１０００の装置本体を示し、符号３８０は、上部ハウジング３５０に開閉自在に設けられるカバー（図１のカバー３８に相当する）を示している。
【００３９】
従って、サイドハウジング３６０、３７０が上述の様に取り付けられることによって、下部ハウジング４００と上部ハウジング３５０とは、その結合状態が強固に保持され、外部から衝撃を受けた際や落下等に際しても分離せず、以てプリンタ１０００の外観を構成する筐体の機械的強度を飛躍的に向上させることができる様になっている。そして、ハンドル５００が、上述の様なサイドハウジング３６０、３７０に取り付けられていることから、ハンドル５００を把持してプリンタ１０００を持ち上げた場合でも、上部ハウジング３５０と下部ハウジング４００とが分離する様なことがない。即ち、プリンタ１０００の装置本体を載設した下部ハウジング４００が分離して落下することが無い。
【００４０】
【発明の効果】
以上説明した様に、本発明によれば、被記録材に記録を行う記録装置は、手提げ用のハンドルを備えているので、記録装置の持ち運びが極めて容易となり、記録装置を落下等させて破損させるといった問題を解消することが可能となる。また、前記ハンドルを、セットされた被記録材を支持するペーパーサポートを兼ねる様に構成することにより、ペーパーサポートを記録装置の外観を構成する筐体に着脱自在に設ける様な場合に比して保管、輸送時等の取り扱い性が向上すると共に、手提げ用のハンドル及びペーパーサポートのそれぞれを別個に設ける場合に比して記録装置の低コスト化を図ることができる。
【図面の簡単な説明】
【図１】本発明に係るインクジェットプリンタの外観斜視図である。
【図２】本発明に係るインクジェットプリンタの側断面概略図である。
【図３】本発明に係るインクジェットプリンタの外観斜視図であり、（Ａ）は手提げ用ハンドルが縮小状態を、（Ｂ）は同伸長状態を示す。
【図４】給紙装置の側断面図である。
【図５】手提げ用ハンドルの他の実施形態を示す、給紙装置の側断面図である。
【図６】他の実施形態に係るインクジェットプリンタの外観を構成する筐体の分解斜視図である。
【図７】他の実施形態に係るインクジェットプリンタの外観を構成する筐体の組立図である。
【符号の説明】
１　給紙装置
３　給紙ローラ
５　ホッパ
１７　搬送ローラ
２３　キャリッジ
２５　インクジェット記録ヘッド
２９　排紙ローラ
３５　センタハウジング
３６、３７　サイドハウジング
３８　カバー
３９　排紙スタッカ
５０　ハンドル
５１ａ　右バー上
５１ｂ　左バー上
５２ａ　右バー下
５２ｂ　左バー下
５３　グリップ部
１００　インクジェットプリンタ
Ｐ　印刷用紙
【図１】
2004082455.tif 000003
【図２】
2004082455.tif 000004
【図３】
2004082455.tif 000005
【図４】
2004082455.tif 000006
【図５】
2004082455.tif 000007
【図６】
2004082455.tif 000008
【図７】
2004082455.tif 000009